Podtech/llm-jp-corpus-v4-ja_patent huggingface dataset:
(57)【要約】      （修正有）【課題】ウエストで身体にフットして、両面使用可能なエプロンを提供する。【解決手段】表用生地および裏用生地の裏面同士を合わせて縫製し、ウエスト、脇および裾の縁がゆるやかな曲線である。【選択図】図１
0003180997.tif 000002
【実用新案登録請求の範囲】
【請求項１】
２枚の生地を表、裏に合わせて一枚のエプロンとしてリバーシブルで使用出来ることを特徴とするエプロン。
【請求項２】
前記で述べたとおり直線でなくウエスト及び脇、裾も曲線で仕上げるので身体にフイットすることを特徴とする請求項１記載のエプロン。
【考案の詳細な説明】
【技術分野】
【０００１】この考案は、ギャルソンエプロン（ウエストで一周して結ぶエプロン）をリバーシブルで楽しめる形状に関する
【背景技術】
【０００２】従来のウエストで一周して結ぶエプロンの形状を図５、図６で示すように裏に縫いしろがあるエプロン。脇が直線の為、ウエストから腰廻りが身体にフイットしない。
【考案の概要】
【考案が解決しようとする課題】
【０００３】しかしながら、以上の技術によれば、ウエストで身体にフィットしない、裏面は縫いしろが目立つので裏面は使用は出来ない
そこで、この考案は、ウエストにフィットして表、裏の両面使用可能を提供することを課題とする。
【課題を解決するための手段】
【０００４】以上の課題を解決するために、第一考案はこの考案裏に縫いしろ見せないので縫いしろの処理が簡単でまた、少ない布地をつなぎ合わせアート的に利用して作ることが出来る。第二考案はウエスト、脇が曲線で仕上げるので身体にフィットすることを特徴とするリバーシブルエプロン。
【考案の効果】
【０００５】第一考案、または第二考案によれば一枚の生地と二枚目の生地をピッタリ合せ裁断、縫製するので、大変薄い生地でも合わせになり、しっかりとして型崩れも少なくしわにもなりにくい、身体にフィットしたエプロンが出来る。
その日の洋服に合わせたり、気分で変えたり汚れた時はさっと変えたり出来る。
【図面の簡単な説明】
【０００６】
【図１】この発明の一実施形態を示す斜視図及び平面図である。
【図２】この発明の一実施形態を示す斜視図及び平面図である。
【図３】この発明の一実施形態を示す斜視図及び平面図である。
【図４】この発明の一実施形態を示す斜視図及び平面図である。
【図５】従来技術を示す斜視図である。
【図６】従来技術を示す斜視図である。
【考案を実施するための形態】
【０００７】この考案の一実施形態を図１〜図４に示す。
同じ型紙で表用、裏用を作り、ピッタリ合わせて１枚のエプロンに仕上げる。
【実施形態の効果】
【０００８】この実施形態によれば、表、裏ともに縫い目が見えずに一枚のエプロンとなる。曲線で仕上げるので身体にフィットする。
【符号の説明】１  すべてを曲線で仕上げている            ２  表、裏とも同じ型紙を使用
３  縫いしろが見えない
【図１】
0003180997.tif 000003
【図２】
0003180997.tif 000004
【図３】
0003180997.tif 000005
【図４】
0003180997.tif 000006
【図５】
0003180997.tif 000007
【図６】
0003180997.tif 000008
【手続補正書】
【提出日】平成24年8月20日(2012.8.20)
【手続補正１】
【補正対象書類名】実用新案登録請求の範囲
【補正対象項目名】全文
【補正方法】変更
【補正の内容】
【実用新案登録請求の範囲】
【請求項１】
２枚の生地を表側用、裏側用に裁断しそれぞれの裏面どうしを合わせて縫製、一枚のエプロンに仕上げ、表側も裏側も使用出来る両面使用を特徴とするエプロン。
0003180997.tif 000009
【請求項２】
従来からギャルソンエプロンは直線で仕上げるのが一般的でしたが、私の考案したエプロンは「明細書０００４」のようにウエスト及び脇、裾もゆるやかな曲線で型紙を作り、裁断、縫製で仕上げるので身体にフイットすることを特徴とする請求項１記載のエプロン。
0003180997.tif 000010
【手続補正２】
【補正対象書類名】明細書
【補正対象項目名】全文
【補正方法】変更
【補正の内容】
【考案の詳細な説明】
【技術分野】
【０００１】この考案は、ギャルソンエプロン（ウエストで一周して結ぶエプロン）をリバーシブルで楽しめる形状に関する
【背景技術】
【０００２】従来のウエストで一周して結ぶエプロンの形状を図５、図６で示すように裏に縫いしろがあるエプロン。脇が直線の為、ウエストから腰廻りが身体にフイットしない。
【考案の概要】
【考案が解決しようとする課題】
【０００３】しかしながら、以上の技術によれば、ウエストで身体にフィットしない、裏面は縫いしろが目立つので裏面は使用は出来ない
そこで、この考案は、ウエストにフィットして表、裏の両面使用可能を提供することを課題とする。
【課題を解決するための手段】
【０００４】以上の課題を解決するために、第一考案はこの考案裏に縫いしろ見せないので縫いしろの処理が簡単でまた、少ない布地をつなぎ合わせアート的に利用して作ることが出来る。第二考案はウエスト、脇、裾が曲線で仕上げるので身体にフィットすることを特徴とするリバーシブルエプロン。
【考案の効果】
【０００５】第一考案、または第二考案によれば一枚の生地と二枚目の生地をピッタリ合せ裁断、縫製するので、大変薄い生地でも合わせになり、しっかりとして型崩れも少なくしわにもなりにくい、身体にフィットしたエプロンが出来る。
その日の洋服に合わせたり、気分で変えたり汚れた時はさっと変えたり出来る。
【図面の簡単な説明】
【０００６】
【図１】この発明の一実施形態を示す斜視図及び平面図である。
【図２】この発明の一実施形態を示す斜視図及び平面図である。
【図３】この発明の一実施形態を示す斜視図及び平面図である。
【図４】この発明の一実施形態を示す斜視図及び平面図である。
【図５】従来技術を示す斜視図である。
【図６】従来技術を示す斜視図である。
【手続補正書】
【提出日】平成24年10月25日(2012.10.25)
【手続補正１】
【補正対象書類名】実用新案登録請求の範囲
【補正対象項目名】全文
【補正方法】変更
【補正の内容】
【実用新案登録請求の範囲】
【請求項１】
表用生地および裏用生地を裁断し、前記表用生地の裏面および前記裏用生地の裏面どおしを合わせて縫製することにより、１枚のリバーシブルエプロンに仕上げる。リバーシブルエプロンおいてウエストおよび脇、裾の縁がゆるやかな曲線であることを特徴とするリバーシブルエプロン。
(57)【要約】      （修正有）【課題】常に身近にある座布団を防災用の頭巾としても併用できる座布団を提供する。【解決手段】座布団本体に、座布団の２分の１の面積である三角形状の別布を、斜辺は縫い付けず、他の２辺を座布団本体の縦辺及び横辺に合わせて縫い付けたことを特徴とし、さらに、座布団本体の縦辺及び横辺が概ね２５ｃｍ〜４５ｃｍ前後とする。【選択図】図１
0003180996.tif 000002
【実用新案登録請求の範囲】
【請求項１】
座布団に別布を縫い付け頭巾様にしたものである。
【請求項２】
小人から大人が取扱い易い一辺が概ね２５Ｃ〜４５ｃの小型なものである。
【考案の詳細な説明】
【技術分野】
【０００１】この考案は  従来の座布団を災害時の防災頭巾として塀用するための  座布団の形状に関する。
【背景技術】
【０００２】従来の座布団は敷物として使用しているものがほとんどである。
【考案の概要】
【考案が解決しようとする課題】
【０００３】しかしながら  座布団の機能はクッション性に優れ  災害時頭部等を保護するには最適であると思われるが  座布団単独では頭部に固定しにくい。そこでこの考案は  常に身近にある座布団を防災用の頭巾としても併用できる座布団を提供することを課題とする。
【課題を解決するための手段】
【０００４】以上の課題を解決するために第一考案は座布団の対角線を境に２分の１の面積の布を張り辺を縫いつけ  その対角線上は縫い付けず開けておきすぐに頭巾として使用できる座布団とする。第二考案として子供用には辺の短いもの  大人用には辺が４５ＣＭ前後のとりまわし易い大きさの座布団とする。第三考案として現代人の嗜好に合わせて多種多様の柄の座布団とする。
【考案の効果】
【０００５】第一考案から第三考案によれば身近に置くクッション性の高い座布団を急な災害時に頭巾としてすぐに使用でき  頭に単独で固定されることにより両手が空くので  より安全に避難できることを可能にする座布団となる。
【図面の簡単な説明】
【図１】この考案の形態を上から見た座布団の図である
【０００６】全景は正方形である【０００７】一辺は概ね２５Ｃ〜４５Ｃ前後【０００８】対角線ＣＢで分けた三角形ＡＢＣの座布団の面積に別布Ａ´Ｂ´Ｃ´を重ね辺ＡＣ、ＡＢは縫いとめる。【０００９】対角線ＢＣは縫いつけず被ることができるように開けておく。
【図２】この考案の座布団を頭巾として被った図である。
【図１】
0003180996.tif 000003
【図２】
0003180996.tif 000004
【手続補正書】
【提出日】平成24年8月20日(2012.8.20)
【手続補正１】
【補正対象書類名】明細書
【補正対象項目名】０００４
【補正方法】変更
【補正の内容】
【０００４】以上の課題を解決するために第一考案は座布団の対角線を境に２分の１の面積の布を座布団に張り  辺を縫い付け  その対角線上は縫い付けず開けておきすぐに頭巾として使用できる座布団とする。第二考案として子供用には辺の短いもの  大人用には辺が４５ｃｍ前後の取りまわし易い大きさの座布団とする。第三考案として現代人の嗜好に合わせて多種多様の柄の座布団とする。
【手続補正２】
【補正対象書類名】明細書
【補正対象項目名】０００７
【補正方法】変更
【補正の内容】
【０００７】一辺は概ね２５ｃｍ〜４５ｃｍ前後
【手続補正３】
【補正対象書類名】実用新案登録請求の範囲
【補正対象項目名】全文
【補正方法】変更
【補正の内容】
【実用新案登録請求の範囲】
【請求項１】
座布団本体に、座布団の２分の１の面積である三角形状の別布を、斜辺は縫い付けず、他の２辺を座布団本体の縦辺及び横辺に合わせて縫い付けたことを特徴とする防災頭巾併用座布団。
【請求項２】
小人から大人が取扱い易い、一辺が概ね２５ｃｍ〜４５ｃｍ前後の小型な防災頭巾併用座布団。
【手続補正書】
【提出日】平成24年10月29日(2012.10.29)
【手続補正１】
【補正対象書類名】実用新案登録請求の範囲
【補正対象項目名】全文
【補正方法】変更
【補正の内容】
【実用新案登録請求の範囲】
【請求項１】
座布団本体に、座布団の２分の１の面積である三角形状の別布を、斜辺は縫い付けず、他の２辺を座布団本体の縦辺及び横辺に合わせて縫い付けたことを特徴とする防災頭巾併用座布団。
【請求項２】
座布団本体の縦辺及び横辺が概ね２５ｃｍ〜４５ｃｍ前後であることを特徴とする請求項１記載の防災頭巾併用座布団。
(57)【要約】      （修正有）【課題】誰でも知っているじゃんけんの要素を取り入れた、老若男女を問わず楽しむことができる簡単なルールで競うゲームを提供する。【解決手段】ゲーム盤上で、じゃんけんの要素が裏に表示されている駒を順番に、直線で他の駒を飛び越えず、好きな数だけ進めていく。対戦相手の駒のあるマスに進むと、裏向けてじゃんけん勝負し、勝った駒をマスに戻す。あいこなら全ての駒をマスに戻す。この運も左右するじゃんけん要素で勝負を繰り返し、王陣地マスに対戦相手の駒が入るか、全ての駒を無くしたら負けとなる。当ゲームは全て紙でできるため安価での大量生産や自作も可能。ルールが単純で複数での対戦もできるため幅広い展開が可能。【選択図】図１
0003181000.tif 000002
【実用新案登録請求の範囲】
【請求項１】
じゃんけんのグー、チョキ、パーが裏に表示されている駒を使い相手の王陣地を奪い合うゲーム。
使用品
裏にグー、チョキ、パーが表示されている
駒15個ワンセットで複数セット。
陣地と移動マスを表示したゲーム盤。
（対戦人数によって変更可能）
ゲームの進め方とルール
じゃんけんで順番を決め（駒使用も可）
それぞれの陣地にそれぞれの駒を裏向けてセット。
順番によって必ず1駒ずつ進める。
駒は直線であれば数マス進めることができるが、自分の駒を含めて駒のあるマスを飛び越えては進めない。
駒を相手の駒があるマスに移動させると勝負となる。
裏返してじゃんけんの要領で勝負して勝った駒をそのマスに戻す。
あいこの場合は2駒とも同じマスに置く。
複数対戦で複数駒が置かれているマスに移動した場合は
その複数個で勝負となり勝った駒のみマスに戻す。
複数個でもあいこなら複数個同じマスに置く。
これを繰り返し、王陣地マスに対戦相手の駒が入るか、全ての駒を無くしたプレイヤーが負けとなる。
複数対戦の場合は陣地を奪われたプレイヤーはゲーム終了となり駒が残っていても全ての駒を盤上から削除する。
【考案の詳細な説明】
【技術分野】
【０００１】
ボードゲームの一種。
【背景技術】
【０００２】
ダイヤモンドゲームのようなボードゲームに、よりスリルを加えたゲームが考案されていなかった。
【考案の概要】
【考案が解決しようとする課題】
【０００３】
誰でも知っているじゃんけんの要素を取り入れた、老若男女を問わず楽しむことができる簡単なルールで競う、電機や電子機器を使用しないボードゲームの提供。
【課題を解決するための手段】
【０００４】
使用品
1-裏にグー、チョキ、パーが表示されている駒15個ワンセットで複数セット。
2- 陣地と移動マスを表示したゲーム盤。（対戦人数によって変更可能）
【０００５】
ゲームの進め方とルール
1- じゃんけんで順番を決め（駒使用も可）
それぞれの陣地にそれぞれの駒を裏向けてセット。
2- 順番によって必ず1駒ずつ進める。
駒は直線であれば数マス進めることができるが、
自分の駒を含めて駒のあるマスを飛び越えては進めない。
3- 駒を相手の駒があるマスに移動させると勝負となる。
4-裏返してじゃんけんの要領で勝負して勝った駒をそのマスに戻す。
あいこの場合は2駒とも同じマスに置く。
複数対戦で複数駒が置かれているマスに移動した場合はその複数個で勝負となり勝った駒のみマスに戻す。
複数個でもあいこなら複数個同じマスに置く。
5- これを繰り返し、王陣地マスに対戦相手の駒が入るか、全ての駒を無くしたプレイヤーが負けとなる。
複数対戦の場合は陣地を奪われたプレイヤーはゲーム終了となり駒が残っていても全ての駒を盤上から削除する。
【図面の簡単な説明】
【０００６】
【図１】ゲームに使用するボード版と駒
【図２】ゲーム版例
【図３】ゲーム版例
【図４】ゲーム版例
【図１】
0003181000.tif 000003
【図２】
0003181000.tif 000004
【図３】
0003181000.tif 000005
【図４】
0003181000.tif 000006
【手続補正書】
【提出日】平成24年10月29日(2012.10.29)
【手続補正１】
【補正対象書類名】明細書
【補正対象項目名】全文
【補正方法】変更
【補正の内容】
【考案の詳細な説明】
【技術分野】
【０００１】      ボードゲーム。 
【考案の概要】
【０００２】  誰でも知っているじゃんけんの要素を取り入れた、老若男女を問わず楽しむことができる簡単なルールで競うゲームセット。 
【図面の簡単な説明】
【０００３】 【図１】ゲームに使用するボード版と駒
【図２】ゲーム版例
【図３】ゲーム版例
【図４】ゲーム版例
【手続補正２】
【補正対象書類名】実用新案登録請求の範囲
【補正対象項目名】全文
【補正方法】変更
【補正の内容】
【実用新案登録請求の範囲】
【請求項１】
裏にグー、チョキ、パーの文字が表示されている駒15個を一組として、この組を複数備えたものと陣地と移動マスを表示したゲーム盤とからなることを特徴としたゲームセット。   （１）表は平面または同形状、同一色で、裏にグー、チョキ、パーを各5個ずつ表示した丸、または多角形の底面を持つ15個を一組とし、表の色を変更した複数組の駒。   （２）２人対戦用の陣地と移動マスを表示したゲーム盤。   （３）３人対戦用の陣地と移動マスを表示したゲーム盤。   （４）４人対戦用の陣地と移動マスを表示したゲーム盤。   （５）５〜６人対戦用の陣地と移動マスを表示したゲーム盤。    以上の組み合わせからなることを特徴とするゲームセット
(57)【要約】      （修正有）【課題】リュックサックを肩から降ろすことなく、トレッキングストックをリュックサックへ固定収納することができるストックホルダーを提供する。【解決手段】リュックサックの側面に取り付けられ、固定用バンドと、固定用バンドに付けられる丸ゴム紐と、丸ゴム紐に付けられた釣り具に吊り下げられた抜け落ち防止の袋からなる。【選択図】図１
0003180999.tif 000002
【実用新案登録請求の範囲】
【請求項１】
リュックサック側面背中側えの取り付け位置とゴム紐を使っての固定、抜け落ち防止の為の袋の設置
【考案の詳細な説明】
【先行技術文献】
【非特許文献】
【０００１】
【非特許文献１】非特許文献
【考案の概要】
【考案が解決しようとする課題】
【０００２】
従来の固定具はリュックサックの外の面にあり、リュックサックを肩から降ろさなければ、固定具へストック収納，取り外しができない
リュックサックを肩から降ろす事無くトレッキングストックをリュックサックへ固定収納したい。
【課題を解決するための手段】
【０００３】
リュックサック側面へ上部から下部へゴム紐を付け上部固定下部に釣り具を付けリュック下部の袋に付けたリングに架け止める、図１  手が届くので取り外し自由、
トレッキングストックを下部袋に刺し入れ、ストック上部にゴム紐を一回転撒きつけゴム紐を曳きながら下部袋等へ止める、一回転撒きつける事で固定出来る、収納器具です。
【考案の効果】
【０００４】
登山の時危険な個所でストックをリュックサックへ収納する手間をはぶき手に持ち歩き手の自由が利かない人を見る、リュックサックを肩から降ろす事無く、少し立ち止まる事で
固定出来るので、その後の歩行が楽である。  
【図面の簡単な説明】
【０００５】
【図１】リュックサックへ取り付けた時の全体図と収納した時の全体図です。巻き付け部分の拡大図です。 ゴム紐部分は脱着でき出来るようにしておく。
【図１】
0003180999.tif 000003
【手続補正書】
【提出日】平成24年10月25日(2012.10.25)
【手続補正１】
【補正対象書類名】実用新案登録請求の範囲
【補正対象項目名】全文
【補正方法】変更
【補正の内容】
【実用新案登録請求の範囲】
【請求項１】
リュックサック側面に固定用バンドと前記固定用バンド付く丸ゴム紐と前記丸ゴム紐付く釣り具に吊り下げられた抜け落ち防止の袋からなるストックホルダー
(57)【要約】      （修正有）【課題】垂直支持体と傾斜支持体のどちらにも共通で嵌合できる棚板を持つ小物ディスプレイ用棚システムを提供する。【解決手段】複数の開口部を有する垂直支持体４又は傾斜支持体と当該開口部に嵌合させるブラケット部分を持つ棚板において、ブラケット部分に突起１と溝２、溝３を有することで、垂直支持体にあっては開口部とブラケット部分の溝３を、傾斜支持体にあっては開口部とブラケット部分の突起１と溝３を嵌合させる。これにより、垂直支持体と傾斜支持体のいずれにおいても共通の棚板を水平に保持できるようになる。【選択図】図１
0003180856.tif 000002
【実用新案登録請求の範囲】
【請求項１】
本考案は突起１と溝２、溝３を持つ棚板と、開口部５を持つ垂直支持体４又は傾斜支持体４’を提供することにより、垂直支持体４と傾斜支持体４’の両方で棚板を共用できることを特徴とする小物ディスプレイ用棚システム。
【考案の詳細な説明】
【技術分野】
【０００１】  本考案は、垂直面及び傾斜面の支持体に対して共通の棚板を取り付けできる棚システムに関するものである。
【背景技術】
【０００２】  従来の小物ディスプレイ用棚は、垂直の支持体４に対して棚を配置するもの（例えば特許文献１〜５参照）であったが、小型観葉植物などの植物を飾る場合、上の棚が邪魔になることがある。このような場合、傾斜した支持体４’に対して棚を設けるケースがある、一般には支持体が垂直面と傾斜面の場合、支持体に対する取り付け方法の違いからそれぞれに専用の棚板が必要となる。このような場合、棚システムとしてデザインの統一感が損なわれてしまう。
【先行技術文献】
【特許文献】
【０００３】
【特許文献１】意匠登録１４２３３０６
【特許文献２】意匠登録１３８５５１８
【特許文献３】意匠登録１３６０８５６
【特許文献４】意匠登録１３３９７８１
【特許文献５】特開２００３−８８２５４
【考案の概要】
【考案が解決しようとする課題】
【０００４】  垂直支持体４と傾斜支持体４’に対して共通で使える棚板が無い。
【課題を解決するための手段】
【０００５】  上記の課題を解決するため本考案は、棚板と垂直支持体４又は傾斜支持体４’との嵌合部分を突起１と溝２、溝３及び開口部５で構成する。
【考案の効果】
【０００６】  垂直支持体４に対しては、溝３を嵌合させることで棚板を保持させることが出来る。また、傾斜支持体４’に対しては溝２と突起１を嵌合させることで棚板を保持させることが出来る。
【図面の簡単な説明】
【０００７】
【図１】棚板の嵌合部側面図
【図２】垂直支持体への取付断面図
【図３】傾斜支持体への取付断面図
【図４】傾斜支持体
【図５】垂直支持体
【実施例】
【０００８】  垂直支持体４と傾斜支持体４’に対して共通の棚板を嵌合させるために、棚板の嵌合部分は突起１と溝２、溝３で構成する。また、垂直支持体４と傾斜支持体４’には開口部５を設ける。【０００９】  図２及び図３はそれぞれ垂直支持体４と傾斜支持体４’に対して棚板を嵌合させた状態を示す。【００１０】  突起１と溝２、溝３の寸法は傾斜支持体４’の傾斜角度と各支持体の板厚、開口部５の形状及び、嵌合に要求する強度に応じて決める必要がある。【００１１】  垂直支持体４と傾斜支持体４’で共通デザインの棚板を使えるためシステムとして見た目のデザインに統一感が得られる。
【符号の説明】
【００１２】１  突起
２  溝
３  溝
４  垂直支持体
４’傾斜支持体
５  開口部
【図１】
0003180856.tif 000003
【図２】
0003180856.tif 000004
【図３】
0003180856.tif 000005
【図４】
0003180856.tif 000006
【図５】
0003180856.tif 000007
【手続補正書】
【提出日】平成24年10月16日(2012.10.16)
【手続補正１】
【補正対象書類名】実用新案登録請求の範囲
【補正対象項目名】全文
【補正方法】変更
【補正の内容】
【実用新案登録請求の範囲】
【請求項１】
複数の開口部５を有する垂直支持体４又は傾斜支持体４’と当該開口部５に嵌合させるブラケット部分を持つ棚板において、ブラケット部分に突起１と溝２、溝３を有することで、垂直支持体４にあっては開口部５とブラケット部分の溝３を、傾斜支持体４’にあっては開口部５とブラケット部分の突起１と溝３を嵌合させることにより、垂直支持体４と傾斜支持体４’のいずれにおいても共通の棚板を水平に保持できることを特徴とする小物ディスプレイ用棚システム。
(57)【要約】      （修正有）【課題】足場板を安全に搭載できることができる足場板金具を提供する。【解決手段】足場板３がのる強度のある支持体４と、足場板３の外れ止め板が支持体４についており、支持体に接合されたクランプ２により布単管のねじ止めをする。またこれにより足場板と布単管の両剛性の結果、許容積載荷重を大きくできる。【選択図】図３
0003180853.tif 000002
【実用新案登録請求の範囲】
【請求項１】
足場板がのる強度のある支持体と、足場板の外れ止め板が支持体についており、支持体に接合されたクランプにより布単管のねじ止めをする。
【考案の詳細な説明】
【技術分野】
【０００１】本考案は足場板金具に関する。
【背景技術】
【０００２】従来の抱き足場の布単管に作業上やむを得ず足場板を乗せるときこの布単管上に足場板を置いて番線等でとめることがなされている。がこの足場板がずれたりすると危険である。この方法は固定が完全であれば積載荷重も布単管分大きくなり悪い方法でないが危険であるという点で難点があった。
【考案の概要】
【考案が解決しようとする課題】
【０００５】そこで足場板の固定が安全で足場板が外れたりしない。布単管への固定もより確実なものがいる点を鑑み改善したい。
【課題を解決するための手段】
【０００６】そこで足場板の固定に番線を使う点は同じであるが、足場板のずれ止めをつけかつ布単管との連結をより確実に行うべくクランプを使い、中間に構造物で足場板の荷重を受けられるようにしたものである。
【考案の効果】
【０００７】こうすることにより足場板は安全に固定され、また布単管分曲げ抵抗が増すため、より安全に足場板を使用できる。
【図面の簡単な説明】
【０００８】
【図１】足場板金具側面図
【図２】足場板金具上面図
【図３】足場板金具組立図
【考案を実施するための形態】
【０００９】以下、本考案の実施の形態を図に基づいて説明する
【実施例１】
【００１０】図１は側面図であり布単管１  ２本をクランプ２で締め、足場板３を支持体４にのせる。足場板はずれ止め板５により外れるのが防止されている。こういう構造で構成される足場板金具である。足場板と支持体との固定は番線６を使用する。
図３のように足場板両側と中央に足場板金具をおき布単管１と固定、足場板３を乗せ番線６で結束したものは足場板の荷重が布に伝えられ、布、足場板の合計支持荷重がこうした構造体の支持機構となる。足場板単体より大きな荷重を乗せられるものである。
【産業上の利用可能性】
【００１１】本考案は足場板を使い足場を組む業界で使用される。
【符号の説明】
【００１２】１  布単管
２  クランプ
３  足場板
４  支持体
５  ずれ止め板
６  番線
【図１】
0003180853.tif 000003
【図２】
0003180853.tif 000004
【図３】
0003180853.tif 000005
【手続補正書】
【提出日】平成24年10月17日(2012.10.17)
【手続補正１】
【補正対象書類名】実用新案登録請求の範囲
【補正対象項目名】全文
【補正方法】変更
【補正の内容】
【実用新案登録請求の範囲】
【請求項１】
足場板の底面をのせる強度のある支持体と、この足場板が横移動してもこれを防止する外れ止め板これは足場板横面側に各々１枚ずつ支持体に接合される、および単管を止める単管クランプ金具２個を備えこれは支持体に接合され、単管クランプは単管クランプ金具のクランプ１個だけのものをつかいこの単管クランプ金具を支持体に接合したものであることを特徴とする足場板金具である。
(57)【要約】      （修正有）【課題】犬が散歩時などに路上に排泄した糞を回収する際、手を汚さず素早くすくい取ることができる折りたたみ式使い捨てちりとりを提供する。【解決手段】前方開口部にへら状の樹脂製の板３を装着し、最初扁平状をしていた本体の両側のへりをつかむことにより上面部１が上方へふくれあがりアーチ型（底面部のほうは平面状のまま）となり立体状化する。１は上面部であり、アーチ型になっている。２は底面部であり、上面部１の左右の延長の部分ををそれぞれ山折りに折り曲げたたうえで下方にて二重にかさねたものである。３は樹脂製のへら部であり、底面部２の先端に接着して取り付ける。【選択図】図３
0003180860.tif 000002
【実用新案登録請求の範囲】
【請求項１】
前方開口部にへら状の樹脂製の板を装着し、上面部をアーチ型、底面部を平面とした  折りたたみ式犬糞回収使い捨てちりとり
【請求項２】
厚紙特有の弾力性を利用し、反発力により開口部を封函できるようにし、糞の逆流を防いだ請求項１の折りたたみ式犬糞回収使い捨てちりとり
【考案の詳細な説明】
【技術分野】
【０００１】  本考案は、歩道や道路上に落下した犬糞等を回収するための使い捨てちりとりに関するものである。
【背景技術】
【０００２】  犬より排泄された糞については、飼い主がその場でティッシュペーパー等でつまむようにして取ることが多い。
【考案の開示】
【考案が解決しようとする課題】
【０００３】  犬より歩道や道路に排泄された糞については、多くの場合飼い主によりティッシュペーパーなどを用いてつまむようにして取った後、ポリエチレン製の袋などに入れて持ち帰ることが多い。しかし糞をつまむという行為はあまり良い気持ちのものではない。また時々手が汚れることもあり衛生的でない。
【課題を解決するための手段】
【０００４】  本考案は厚紙等を素材として、底面を平面、上面部をアーチ型としたうえで、底面部前方にへらの機能を持たせた薄い樹脂片を取り付け、路上に落下した糞を容易にすくい上げられるようにして上記問題点を解決しようとするものである。
【考案の効果】
【０００５】  使用直前まで保管を考慮し扁平状とするが、片手で簡単に立体状化できるようにした。また、犬糞をすくい取る際、手を汚さないで済ませることができる。【０００６】  使用後においてアーチ型上面部の前方を上から軽く押すだけで、その部分が厚紙特有の弾力性により逆アーチ形となり簡易な封函をなすことができる。
【考案の実施の最良の形態】
【０００７】  以下、本考案の実施の形態を図に基づいて説明する。
【０００８】  まず図１は使用前の折りたたまれている状態を示したものであり、使用直前まで扁平な形状をしている。展開図（図２）で示してみたが、底面部には２か所の差し込み穴１１と２か所の差し込み片１２があり、あらかじめ差し込み穴１１に差し込み片１２が差し込まれた状態にしてある。使用時において本体のへりを左右から軽くつかむことにより、上面部がふくれあがり、立体的なアーチ形状（図３）に変化できるものとした。
【０００９】  次に、立体的な形状を示した図３において各部を説明する。１は上面部であり、アーチ型になっている。２は底面部であり、上面部１の左右の延長の部分ををそれぞれ山折りに折り曲げたたうえで下方にて二重にかさねたものである。３は樹脂製のへら部であり、底面部２の先端に接着して取り付けるものとする。なお、図５は斜視図図３の断面図として示したものである。
【００１０】  ４は糞のせ台紙であり上面部１の後方部内側（糞のせ台紙固定のりしろ５）において接着されるものとする。この糞のせ台紙４は、後方部の半月形の部分を斜面、前方部の長方形の部分を水平面とするため、その境目をあらかじめ谷折りしておく（図３の６の点線）。
【００１１】  一方、７は糞押さえ紙であり上面部１の前方部内側（糞押さえ紙固定のりしろ８）において接着されるものとする。この糞押さえ紙は後述の封函時に糞の逆流を防ぐふたの一部としての機能を持たせるものである（図６の７参照）。なおこの部材は厚紙等に比べて少し柔らかい材質のものを使用する。
【００１２】  糞をすくいとった後は封函するのであるが、あらかじめ上面部前方に切れ込み９を入れ、さらに切れ込みの下端から開口部に向けて折り目１０を入れておく。これにより上面部前方部（切れ込み９より前方の部分）を上から軽く押すだけで、この部分が厚紙特有の弾力性により逆アーチ状になり、先述の糞押さえ紙と併せて簡易な封がなされることとなる。この状態を斜視図図４及び断面図図６に示す。
【００１３】  このあと、手の指の力をゆるめることにより、本体の形状はアーチ型ながらも少々扁平に近いものとなる。このとき上面部が全体的に低くなるので、内部に収納した糞を上面部１の本体内部がわの面でもって仮固定する作用がはたらく。
【図面の簡単な説明】
【００１４】
【図１】  使用前の折りたたまれた状態の平面図
【図２】  本体展開図
【図３】  使用直前時の立体状になった時の斜視図
【図４】  糞収納後において上面前方部を上から押して逆アーチ状にして封函した時の斜視図
【図５】  使用直前時の立体状になった時の断面図
【図６】  糞収納後において上面前方部を上から押して逆アーチ状にして封函した時の断面図
【符号の説明】
【００１５】１……上面部
２……底面部
３……へら部
４……糞のせ台紙
５……糞のせ台紙固定のりしろ
６……糞のせ台紙の谷折り線
７……糞押さえ紙
８……糞押さえ紙固定のりしろ
９……上面部前方の切れ込み
１０…上面部前方の切れ込みの根元から開口部に向けての折り目
１１…差し込み穴
１２…差し込み片
１３…糞
【図１】
0003180860.tif 000003
【図２】
0003180860.tif 000004
【図３】
0003180860.tif 000005
【図４】
0003180860.tif 000006
【図５】
0003180860.tif 000007
【図６】
0003180860.tif 000008
【手続補正書】
【提出日】平成24年10月21日(2012.10.21)
【手続補正１】
【補正対象書類名】実用新案登録請求の範囲
【補正対象項目名】請求項１
【補正方法】変更
【補正の内容】
【請求項１】
前方開口部にへら状の樹脂製の板を装着し、最初扁平状をしていた本体の両側のへりをつかむことにより上面部が上方へふくれあがりアーチ型（底面部のほうは平面状のまま）となり立体状化する折りたたみ式犬糞回収使い捨てちりとり
【手続補正２】
【補正対象書類名】実用新案登録請求の範囲
【補正対象項目名】請求項２
【補正方法】変更
【補正の内容】
【請求項２】
封函時において、あらかじめ本体上面部前方にいれておいた横方向の切れ込みより前方の部分を軽く押すことにより、厚紙の弾力性を利用してその部分をアーチ状から逆アーチ状に反転させ、この部分の本体内面側に取り付けた糞押さえ紙と併せて簡易な封函ができるようにした請求項１の折りたたみ式犬糞回収使い捨てちりとり
(57)【要約】      （修正有）【課題】サンバイザーのヒサシ部分がヘリ部分との縫い合せ接合がお互いの端部同士のみというデザイン上の制約を解除し、ヒサシ部分がヘリ部分の中央から直角に接合できるサンバイザー付きハチマキを提供する。【解決手段】サンバイザー部分織布１とハチマキ部分織布２とを、直角な接合の形状のまま縫い合せたことを特徴とする。【選択図】図１
0003180851.tif 000002
【実用新案登録請求の範囲】
【請求項１】
サンバイザー付きハチマキのサンバイザー部分織布とハチマキ部分織布とが直角な接合の形状のまま縫い合せる事ができる事により、ハチマキ部分の中央からサンバイザー部分が直角に接合しているデザインの製品が作れる。
【考案の詳細な説明】
【技術分野】
【０００１】  本考案は、サンバイザー付きハチマキの織布の縫い合せ方に関するものである。
【背景技術】
【０００２】  サンバイザーのヒサシ部分とヘリ部分は織布を折り曲げて縫い合せていた。
【考案の概要】
【考案が解決しようとする課題】
【０００３】  徐々に角度をつけて織布を縫い合せるか、折り曲げて縫い合せる事によりサンバイザーのヒサシ部分とヘリ部分が製品では直角に近い関係になる従来の縫い合せ方ではハチマキの真中からサンバイザーのヒサシ部分が直角に接合しているデザインは実現できない。それを織布同士を直角の形状のまま縫い合せる事により問題点を解決している。
【課題を解決するための手段】
【０００４】  織布同士を直角に接合したままの形状で縫い合せる。
【考案の効果】
【０００５】  織布同士が直角になる形状のまま縫い合せ、強度、形状が保てるためハチマキの中央からサンバイザーのヒサシ部分が直角に接合しているデザインが実現できる。
【図面の簡単な説明】
【０００６】
【図１】ハチマキ部分の中央から直角にサンバイザーのヒサシ部分が縫い合された状態の正面からの見取り図である。
【図２】図１の裏側からの見取り図である。
【考案を実施するための形態】
【０００７】  平面の織布１に対し直角に接する織布２の裏から通した糸３は織布１の表面上を移動し任意の点４で織布１を貫通。織布１の裏面上に沿って移動し織布２を貫通する。
糸４は織布２の裏で織布１と並行に少し進む。
これを繰り返して織布１と織布２を直角の形状のまま縫い合せる。
この事により、ハチマキ中央部分とサンバイザーのヒサシ部分が直角になる形状を実現できる。
【実施例】
【０００８】  この縫い合せ方でハチマキ中央部とサンバイザーのヒサシ部分が直角に繋がっているデザインの製品製作が可能となる。
【符号の説明】
【０００９】  １  サンバイザー部分織布
２  ハチマキ部分織布
３  縫い合せ糸
４  糸穴
【図１】
0003180851.tif 000003
【図２】
0003180851.tif 000004
【手続補正書】
【提出日】平成24年10月22日(2012.10.22)
【手続補正１】
【補正対象書類名】実用新案登録請求の範囲
【補正対象項目名】全文
【補正方法】変更
【補正の内容】
【実用新案登録請求の範囲】
【請求項１】
サンバイザー部分織布とハチマキ部分織布とを、直角な接合の形状のまま縫い合せたことを特徴とするサンバイザー付きハチマキ。
(57)【要約】      （修正有）【課題】コンセントや差込へのホコリ・切粉・液体等の付着や飛来を食止め、火災や電気トラブル等の未然防止するコンセント用安全カバーを提供する。【解決手段】カバー上部を、カバー下部が手前に持ち上がる、または、カバーが容易に取り外し出来る様に、テープ・チョウツガイ・はめ込み方式他の方法により固定する。【選択図】図１
0003180857.tif 000002
【実用新案登録請求の範囲】
【請求項１】
新品または使用中のコンセントにカバーを取付けることによりコンセントや差込へのホコリ・切粉・液体等の付着や飛来を食止め  火災や電気トラブル等の未然防止を図るためのコンセント用安全カバー
【考案の詳細な説明】
【技術分野】
【０００１】新品または使用中のコンセントにカバーを取付けることによりコンセントや差込へのホコリ・切粉・液体等の付着や飛来を食止め  火災や電気トラブル等の未然防止を図るためのコンセント用安全カバー
【背景技術】
【０００２】当案のような製品が見当たらない
【考案の開示】
【考案が解決しようとする課題】
【０００３】本考案はコンセントや差込へのホコリ・切粉・液体等の付着や飛来を食止め火災や電気トラブル等の未然防止を図ることにある
【課題を解決するための手段】
【０００４】コンセントに図面に示すようなコンセント用安全カバーを取付ける
【考案の効果】
【０００５】コンセントや差込へのホコリ・切粉・液体等の付着や飛散を食止め火災や電気トラブル等の未然防止が図られる
【図面の簡単な説明】
【０００６】
【図１】透明または半透明または不透明の合成樹脂等で  使用者が用途に応じてカバーの正面または左右の部分的な切除が出来  カバー上部を軸にカバー下部を手前に持上げる  またはカバーを取外すことにより容易に差込み操作の出来るコンセント用安全カバー
【図１】
0003180857.tif 000003
【手続補正書】
【提出日】平成24年10月22日(2012.10.22)
【手続補正１】
【補正対象書類名】実用新案登録請求の範囲
【補正対象項目名】全文
【補正方法】変更
【補正の内容】
【実用新案登録請求の範囲】
【請求項１】
透明または半透明または不透明の合成樹脂等でカバー下部が手前に持上る  またはカバーが容易に取外し出来る様にテープ・チョウツガイ・はめ込み方式他の方法によりコンセントにとりつけ  使用者が用途に応じて部分的な切除の出来るコンセント用安全カバー
(57)【要約】      （修正有）【課題】農作業において作業効率を向上させ、無駄な体力を消費しない農耕具の柄を提供する。【解決手段】農耕具の柄３は、農耕具の刃１と一方の先端部分で接合し、長さ方向の中央部分及び他の先端部分でそれぞれ当該方向に対して角度を持って折れ曲がって２箇所の把持部４、５を有する。作用点である刃の先端部２と一方の力点である作業者から遠い当該中央部分の把持部の中心部とを結んだ作用線に対する当該把持部の角度αが９０±２０度の位置にあり、かつ当該刃の先端部と他方の力点である作業者に近い当該他の先端部分の把持部の中心部とを結んだ作用線に対する当該把持部の角度βが７０度〜１００度の位置にある構造を有する。【選択図】図１
0003180864.tif 000002
【実用新案登録請求の範囲】
【請求項１】
農耕具の刃と一方の先端部分で接合し、長さ方向の中央部分及び他の先端部分でそれぞれ当該方向に対して角度を持って折れ曲がって２箇所の把持部を構成しており、作用点である刃の先端部と一方の力点である作業者から遠い当該中央部分の把持部の中心部とを結んだ作用線に対する当該把持部の角度αが９０±２０度の位置にあり、かつ当該刃の先端部と他方の力点である作業者に近い当該他の先端部分の把持部の中心部とを結んだ作用線に対する当該把持部の角度βが７０度〜１００度の位置にある構造を有することを特徴とする農耕具の柄。
【請求項２】
角度αが９０±５度である請求項１に記載の農耕具の柄。
【考案の詳細な説明】
【技術分野】
【０００１】
本考案は、農耕具の曲がり柄に関する。
【背景技術】
【０００２】
従来の農耕具は直ぐい柄が用いられているが、直ぐい柄については農耕具を引き寄せる際に手首の角度が斜めになることによって、力が十分に発揮できないことや、滑り易いことなどが指摘されている。また、直ぐい柄の農耕具で刃を傾けて作業する場合、刃先が回転し易くなり、斜め掬いや斜め削りをするには、強い握力が必要とされる。
【０００３】
これまでに、鍬や鋤等の取付け角度を通常の角度よりも大とし、かつ柄の途中で鍬等の先方向へ曲げて曲折部を形成してなる鍬等の柄が提案され（特許文献１）、また鍬の刃と、該刃から斜め上方へ延びる柄杆とを備え、柄杆の途中から柄杆に対して所定の有角度で上方に向かって突出し、その上端が把持部となった補助柄を設けた鍬が提案されている（特許文献２）。
【先行技術文献】
【特許文献】
【０００４】
【特許文献１】実開昭６０−１９０５８５号公報
【特許文献２】実開平２−２３４０１号公報
【考案の概要】
【考案が解決しようとする課題】
【０００５】
先方向へ曲げて曲折部を形成してなる鍬等の柄は、鍬等を引き寄せる際に手首の角度が斜めになることによって、力が十分に発揮できないことや、滑り易いことなどの問題点が解決されていない。また、把持部である補助柄を設けた鍬は、柄杆に当該補助柄を取付けるための補助具が必要であり、製造コストが割高になる。
農耕具に関して、人間工学的な工夫が少ないことや、研究面において遅れているのが実情である。
【０００６】
本考案は、農作業において作業効率を向上させ、無駄な体力を消費しない農耕具の柄を提供することを目的とする。
【課題を解決するための手段】
【０００７】
本考案に係る農耕具の柄は、農耕具の刃と一方の先端部分で接合し、長さ方向の中央部分及び他の先端部分でそれぞれ当該方向に対して角度を持って折れ曲がって２箇所の把持部を構成しており、作用点である刃の先端部と一方の力点である作業者から遠い当該中央部分の把持部の中心部とを結んだ作用線に対する当該把持部の角度αが９０±２０度の位置にあり、  かつ当該刃の先端部と他方の力点である作業者に近い当該他の先端部分の把持部の中心部とを結んだ作用線に対する当該把持部の角度βが７０度〜１００度の位置にある構造を有することを特徴とする。
【０００８】
角度αが９０±２０度の位置にあるとは、角度αが（９０−２０）度乃至（９０＋２０）度、すなわち７０度〜１１０度の範囲の位置にあることを意味している。
角度αが７０度より小さい場合、作業者が体から離れた位置で柄を握り難くなり、角度αが１１０度より大きい場合、作業者が柄を必要以上に強い力で握ることになり、作業者の体力を余分に消費させることになる。また、角度βが７０度より小さい場合も１００度より大きい場合も、作業者が体の近くの位置で柄を握り難くなる。
本考案に係る農耕具の柄において、作業者が握り易く、農作業の効率を向上させ、かつ作業者の体力を無駄に消費させない観点から、角度αは９０±５度であるのが好ましい。
【考案の効果】
【０００９】
本考案の農耕具の柄は、作業者が２箇所の把持部において左右の手首を曲げることなく握ることができるので、作業者に手首、肘、肩の関節痛や筋肉疲労を軽減させることができる。
本考案に係る農耕具の柄の把持部が、作用点から一直線にないことから、農耕具の刃先の角度を変えたときも、回転することを防ぎ、斜め掬いや斜め削りを容易にすることができ、農作業の効率化を実現することができる。
【図面の簡単な説明】
【００１０】
【図１】本考案の一実施形態を示す農耕具の柄の側面図である。
【考案を実施するための形態】
【００１１】
以下、本考案の一実施形態を図面に基づいて説明する。
図１に示すように、本考案の農耕具の柄３は、農耕具の刃１と一方の先端部分で接合し、長さ方向の中央部分及び他の先端部分でそれぞれ長さ方向に対して角度を持って折れ曲がって２箇所の把持部４、５を構成しており、作用点である刃１の先端部２と一方の力点である作業者から遠い当該中央部分の把持部４の中心部とを結んだ作用線６に対する把持部４の角度αが９０±２０度の位置にあり、  かつ当該刃の先端部２と他方の力点である作業者に近い当該他の先端部分の把持部５の中心部とを結んだ作用線７に対する把持部５の角度βが７０度〜１００度の位置にある構造を有している。
【００１２】
農耕具の柄３は、農耕具の刃１と接合された状態で真上から見た場合に直線状であるのが好ましく、柄３を構成する長さ方向の棒部において、作業者が２箇所の把持部４、５を握り易くするために、図１に示すように、刃１と接合する一方の先端部分から把持部４までの棒部と、把持部４及び把持部５に挟まれた棒部とはほぼ平行の関係にあるのが好ましい。柄３の長さは、２つの棒部の長さを加えたものになるが、従来の農耕具に使用されている直ぐい柄の長さと同じで差支えない。
【産業上の利用可能性】
【００１３】
本考案の農耕具の柄は、作業効率の良い農耕具を提供することができ、作業者の筋肉疲労を軽減させ、長時間の農作業を可能にする。
【符号の説明】
【００１４】
１  農耕具の刃
２  農耕具の刃の先端部
３  柄
４  把持部（作業者から遠い把持部）
５  把持部（作業者に近い把持部）
６  刃の先端部と柄の中央部分の把持部の中心部とを結んだ作用線
７  刃の先端部と作業者に近い柄の先端部分の把持部の中心部とを結んだ作用線
α  作用線６に対する把持部４の角度
β  作用線７に対する把持部５の角度
【図１】
0003180864.tif 000003
(57)【要約】      （修正有）【課題】設定震度以上の震度を検知すると自動でストロボライトを点灯する災害時避難誘導用ストロボライトを提供する。【解決手段】ストロボライトと、地震を感知する感震装置３と、太陽電池又は商用電源から充電される蓄電池２と、充電器５とを備える。【選択図】図１
0003180839.tif 000002
【実用新案登録請求の範囲】
【請求項１】
ストロボライトと、地震を感知する感震装置及び太陽電池又は商用電源より充電される蓄電池及び充電器を備えた装置を避難場所等に設置する。
地震が発生し設定震度以上になった場合、昼夜を問わず自動でストロボライトを点灯させ、避難場所等に避難住民及び救援者を誘導する装置。
【請求項２】
前項の避難場所に誘導する装置のストロボライトの発光色を変える事により、遠方からでも施設の種別が判別出来るようにする。
【考案の詳細な説明】
【技術分野】
【０００１】  本考案は、災害時に避難所や救援施設等にストロボライトを点灯させて避難者及び救援者に対して避難誘導及び救援者の活動の支援に関するものである。
【背景技術】
【０００２】  従来の避難誘導は防災無線や避難誘導の看板等に従って誘導するシステムが構築されている。
しかし夜間の災害発生時に停電等が発生した場合、多くの手段は使えず有効な避難誘導は出来ない場合がある。
地震や津波などの災害時に緊急避難する場合、避難先が不明瞭なため、適切な避難所に迅速に移動できない。
土地勘のない者や住み馴れた住民でも間違った方向に行くこともあれば、夜の暗闇の中では特に方向を見誤ることもあり、従来の矢印看板に替わり明確な表示を可能とする設備が急務であった。【０００３】  避難場所の明示は看板のみに頼っており、心理的にパニック状態に陥った場合には的確に自分が避難すべき場所に向かって避難をすることは困難であった。【０００４】  避難場所に到達した場合であっても、入口の場所や受付場所等が明確ではなく安否確認等に時間を要した。
【考案の概要】
【考案が解決しようとする課題】
【０００５】  従来の避難誘導は防災無線や避難誘導の看板等に従って誘導するシステムが構築されている。
しかし夜間の災害発生時に停電等が発生した場合、多くの手段は使えず有効な避難誘導は出来ない状態にある。
地震や津波などの災害時に緊急避難する場合、避難先が不明瞭のために適切な避難所に迅速に移動できない。
土地勘のない者や住み馴れた住民でも慌てると間違った方向に行くこともあれば、夜の暗闇の中では特に方向を見誤ることもあり、従来の矢印看板に替わり明確な表示を可能とする設備が急務であった。【０００６】  避難場所の明示は看板のみに頼っており、心理的にパニック状態に陥った場合には的確に自分が避難すべき場所に向かって避難をすることは困難であり、遠方から避難すべき場所の種別や警察、消防、役所、病院等の識別は出来なかった。【０００７】  避難場所に到達した場合であっても、入口の場所や受付場所等が明確ではなく安否確認等に時間を要した。
【課題を解決するための手段】
【０００８】  ストロボライトと、地震を感知して作動する感震装置及び太陽電池又は商用電源より充電される蓄電池及び充電器を備えた装置を避難場所に設置する。
地震が発生し設定震度以上になった場合、昼夜を問わず自動でストロボライトを点灯させる事により避難場所に避難住民等を誘導する装置。【０００９】  前項の避難場所に誘導する装置は感震装置及び制御回路に必要な電力並びに蓄電池の自己放電により蓄電池は電圧降下をする。一定の電圧まで降下した場合、制御回路が作動し充電器を作動させて蓄電池に充電を行う。
商用電源を利用出来る場所においては商用電源より蓄電池を充電する。
また商用電源のない場所では太陽電池により発電し蓄電池を充電する。【００１０】  ストロボライトの発光色を替える事により、遠方からでも施設の種類が判別出来るようにする。
【考案の効果】
【００１１】  従来の避難誘導は防災無線や避難誘導の看板等であったが夜間の災害発生時に停電等が発生した場合、多くの手段は使えず有効な避難誘導は出来なかった。
ストロボライトを点灯させる事により、明瞭に避難する方向がわかり、発光色の種類により、適切な避難所や施設に迅速に誘導することが出来る。
土地勘のない者や住み馴れた住民に夜の暗闇の中でも逃げる方向を示す事により明確な表示を可能に出来る。【００１２】  避難場所に到達した場合であっても、ストロボライトを入口の直上に設置すれば大きな建物でも入口の場所が明確な為、早く安全な場所に避難することが出来る。【００１３】  被災して心理的にパニック状態に陥った場合でも、ストロボライトの発光により心理的に避難の開始を促すことが出来る。【００１４】  地上救助隊及び救援航空機に対して、避難者のいる場所を明確に表示する事が出来る。
【考案を実施するための形態】
【００１５】  災害時に避難を必要とする者に対して的確に避難する場所や種別を明示し、避難誘導の助けをする事を実現した。
【実施例１】
【００１６】  図１及び図２は、本考案装置の商用電源を利用した場合の実施例である。ストロボライト及び電源等は図３は太陽電池を使用した場合も同様である。
７は充電用の入力端子、８はストロボライトへの出力端子である。
配線については省略する。【００１７】  感震装置は常に内蔵された蓄電池により作動しており一定強度の地震を感知した場合作動し、ストロボライトを作動させる。一定時間経過した時に発光を停止し、充電モードに移行する。
その後充電を完了し待機モードに移行する。感震装置の詳細説明は省略する。【００１８】  内蔵蓄電池が一定電圧以下に下がった場合、自動的に充電器が作動し充電を開始し設定電圧に達した場合充電を終了し待機モードする。
【産業上の利用可能性】
【００１９】  本体に取り付けた感震装置、蓄電池、充電装置のユニットは地震発生時に手動で作動させる事が困難な電子機器やその他の表示灯を点灯させる場合等の用途にも適用できる。
【図面の簡単な説明】
【００２０】
【図１】図１は商用電源を利用した場合の平面説明明図
【図２】図２は商用電源を利用した場合の断面説明明図
【図３】図３太陽電池を利用した場合の平面説明図
【図４】図４太陽電池を利用した場合の断面説明明図
【符号の説明】
【００２１】１  ストロボライト
２  蓄電池
３  感震装置
４  コントロールユニット
５  充電器
６  太陽電池パネル
７  充電用電源入力端子
８  ストロボライト用出力端子
【図１】
0003180839.tif 000003
【図２】
0003180839.tif 000004
【図３】
0003180839.tif 000005
【図４】
0003180839.tif 000006
【手続補正書】
【提出日】平成24年9月17日(2012.9.17)
【手続補正１】
【補正対象書類名】実用新案登録請求の範囲
【補正対象項目名】全文
【補正方法】変更
【補正の内容】
【実用新案登録請求の範囲】
【請求項１】
ストロボライトと、地震を感知する感震装置と、太陽電池又は商用電源から充電される蓄電池と、充電器と、を備えた災害時避難誘導用ストロボライトにおいて、前記感震装置が設定震度以上の震度を検知すると前記ストロボライトを点灯させることを特徴とする災害時避難誘導用ストロボライト。